(57)【要約】【課題】可動部材の動作品位を高めることができ、装着感を向上させることができるヘッドセットを提供すること。【解決手段】内周面が略球面状に形成された軸受部１２１を有するホルダ１２０と、ホルダ１２０に対向する第１の面１３４ａと第１の面１３４ａの背面としての第２の面１３４ｂとを有し、第２の面１３４ｂ側にスピーカ１３１が配設された可動部材としてのハウジング１３０と、外周面が略球面状に形成された第１の端部１６１とハウジング１３０の第１の面１３４ａ側に接続された第２の端部１６２とを有し、第１の端部１６１がホルダ１２０の軸受部１２１に嵌合することによりハウジング１３０をホルダ１２０に連結するロッド１６０とを備え、ハウジング１３０がロッド１６０の第１の端部１６１を中心に回動するように構成する。【選択図】      図３
2004173092.tif 000002
【特許請求の範囲】
【請求項１】
内周面が略球面状に形成された軸受部を有する固定部材と、前記固定部材に対向する第１の面と前記第１の面の背面としての第２の面とを有し、前記第２の面側に音声出力部が配設された可動部材と、
外周面が略球面状に形成された第１の端部と前記可動部材の前記第１の面側に接続された第２の端部とを有し、前記第１の端部が前記固定部材の前記軸受部に嵌合することにより前記可動部材を前記固定部材に連結する連結部材とを備え、前記可動部材は、前記連結部材の前記第１の端部を中心に回動することを特徴とするヘッドセット。
【請求項２】
前記固定部材は、前記可動部材が前記連結部材の中心軸周りに回転したときに前記可動部材に係合する係合部を有し、前記可動部材の回転を規制することを特徴とする請求項１に記載のヘッドセット。
【請求項３】
前記固定部材は、前記可動部材側に位置するとともに前記固定部材の前記軸受部の一端から放射内方に延在する内縁部を有し、前記内縁部が前記連結部材の前記第１の端部に係合することにより前記連結部材の前記可動部材側への移動を規制することを特徴とする請求項１または請求項２に記載のヘッドセット。
【請求項４】
前記連結部材は、金属によって形成されたことを特徴とする請求項１から請求項３までの何れかに記載のヘッドセット。
【発明の詳細な説明】
【０００１】
【発明の属する技術分野】
本発明は、音響機器に用いられるヘッドセットに関し、特に、聴取者の耳介に当接するイヤーパッドが設けられたヘッドセットに関する。
【０００２】
【従来の技術】
従来から、この種のヘッドセットは、各種の音響機器に用いられており、聴取者に音声を聴取させるためのヘッドセットとして普及している（例えば、特許文献１参照）。
【０００３】
このような従来のヘッドセット２００は、図６に示すように、円弧状のヘッドバンド２１０と、ヘッドバンド２１０の両端に配設された一対のホルダ２２０と、可動部材としての一対のハウジング２３０とを備えている。
【０００４】
ハウジング２３０は、ホルダ２２０に支持され、ホルダ２２０の支軸２２１周りに回動するようになっている。ハウジング２３０には、図示しないスピーカが収容されており、ヘッドセット２００が聴取者の頭部に装着されたときに聴取者の耳介周辺に当接するイヤーパッド２３１が取り付けられている。
【０００５】
【特許文献１】
特開平８―２５６３９１号公報（第２頁、第１図）
【０００６】
【発明が解決しようとする課題】
しかしながら、上記従来のヘッドセットにおいては、ハウジングが一軸周りにのみ回動するため、ハウジングの可動方向が制限されてしまい、ハウジングの動作品位が悪くなるという問題があった。特に、ヘッドセットが長時間装着される場合には、イヤーパッドが片寄って当接することにより、イヤーパッドからの押圧力が不均一に加わる状態が長く続くため、装着感が悪くなるという問題があった。
【０００７】
そこで、本発明は、このような問題を解決するため、可動部材の動作品位を高めることができ、装着感を向上させることができるヘッドセットを提供することを目的とする。
【０００８】
【課題を解決するための手段】
上記の課題を解決するために、本発明に係るヘッドセットは、内周面が略球面状に形成された軸受部を有する固定部材と、前記固定部材に対向する第１の面と前記第１の面の背面としての第２の面とを有し、前記第２の面側に音声出力部が配設された可動部材と、外周面が略球面状に形成された第１の端部と前記可動部材の前記第１の面側に接続された第２の端部とを有し、前記第１の端部が前記固定部材の前記軸受部に嵌合することにより前記可動部材を前記固定部材に連結する連結部材とを備え、前記可動部材は、前記連結部材の前記第１の端部を中心に回動することを特徴とする構成を有している。
【０００９】
この構成により、本発明に係るヘッドセットは、可動部材が連結部材の第１の端部を中心に回動するので、可動部材の動作品位を高めることができ、装着感を向上させることができる。
【００１０】
また、本発明に係るヘッドセットは、前記固定部材は、前記可動部材が前記連結部材の中心軸周りに回転したときに前記可動部材に係合する係合部を有し、前記可動部材の回転を規制することを特徴とする構成を有している。
【００１１】
この構成により、本発明に係るヘッドセットは、固定部材の係合部が可動部材に係合することにより、可動部材の回転を規制することができるので、音声出力部に接続されたコードの断線を防止することができる。
【００１２】
また、本発明に係るヘッドセットは、前記固定部材は、前記可動部材側に位置するとともに前記固定部材の前記軸受部の一端から放射内方に延在する内縁部を有し、前記内縁部が前記連結部材の前記第１の端部に係合することにより前記連結部材の前記可動部材側への移動を規制することを特徴とする構成を有している。
【００１３】
この構成により、本発明に係るヘッドセットは、固定部材の内縁部が連結部材の第１の端部に係合することにより、連結部材の可動部材側への移動を規制することができるので、可動部材が固定部材から脱落することを防止することができる。
【００１４】
また、本発明に係るヘッドセットは、前記連結部材は、金属によって形成されたことを特徴とする構成を有している。
【００１５】
この構成により、本発明に係るヘッドセットは、連結部材が金属によって形成されているので、連結部材の耐久性および信頼性を向上させることができる。
【００１６】
【発明の実施の形態】
以下、本発明の実施の形態について、図面を用いて説明する。
【００１７】
図１から図５は、本発明の一実施の形態に係るヘッドセットを示す図である。
【００１８】
まず、本実施の形態に係るヘッドセットの構成について説明する。
【００１９】
ヘッドセット１００は、図１から図３に示すように、円弧状のヘッドバンド１１０と、ヘッドバンド１１０の両端に配設された一対のホルダ１２０と、音声を出力する音声出力部としてのスピーカ１３１が収容された一対のハウジング１３０と、音声を入力する音声入力部としてのマイク１４１が一端に配設されたアーム１４０と、音声信号を入出力するためのコード１５０とを備えている。
【００２０】
ヘッドバンド１１０は、可撓性を有する部材、例えば、樹脂などによって形成されており、ヘッドセット１００が聴取者の頭部に装着されたときに、聴取者の頭頂部に当接するとともに、ホルダ１２０を内側に付勢することによりハウジング１３０を聴取者の耳介に押圧するようになっている。
【００２１】
ホルダ１２０は、ヘッドバンド１１０に沿って移動可能に取り付けられており、聴取者の頭部の大きさに応じて、ヘッドバンド１１０からハウジング１３０までの長さを変更することにより、ハウジング１３０の位置を聴取者の耳介の位置に合わせるようになっている。アーム１４０は、ホルダ１２０に取り付けられ、ホルダ１２０の中心軸１０１周りに回転するようになっている。
【００２２】
また、ホルダ１２０は、内周面が略球面状に形成された軸受部１２１と、ハウジング１３０側に位置するとともに軸受部１２１の一端から放射内方に延在する内縁部１２２とを有している。なお、ホルダ１２０は、本発明における固定部材を構成している。
【００２３】
ハウジング１３０は、スピーカ１３１およびイヤーパッド１３２が取り付けられた内蓋１３３と、内蓋１３３に嵌合する碗状の台座１３４とを有している。台座１３４は、ホルダ１２０に対向する第１の面１３４ａと、第１の面１３４ａの背面としての第２の面１３４ｂとを有している。なお、ハウジング１３０は、本発明における可動部材を構成している。
【００２４】
スピーカ１３１は、台座１３４の第２の面１３４ｂ側に配設されており、ヘッドセット１００が聴取者の頭部に装着されたときに、聴取者の耳介に対向するようになっている。
【００２５】
イヤーパッド１３２は、ウレタンなどの表面を合成皮革などによって被覆したドーナツ状の部材であり、ヘッドセット１００が聴取者の頭部に装着されたときに、聴取者の耳介に当接するとともに、聴取者の耳介を覆って音洩れおよび周囲の騒音の侵入を防止するようになっている。
【００２６】
コード１５０の一端は、スピーカ１３１およびマイク１４１に半田付けなどにより接続されており、コード１５０の他端には、音響機器に接続されるプラグが配設されている。
【００２７】
また、ヘッドセット１００は、ハウジング１３０をホルダ１２０に連結するロッド１６０を備えている。ロッド１６０は、金属によって形成されており、固定具としてのネジ１７０およびブッシュ１７１により台座１３４に固定されるようになっている。なお、ロッド１６０は、本発明における連結部材を構成している。
【００２８】
ロッド１６０は、外周面が略球面状に形成された第１の端部１６１と、台座１３４の第１の面１３４ａ側に接続された第２の端部１６２とを有しており、ロッド１６０の第１の端部１６１が軸受部１２１に嵌合することにより、ハウジング１３０をホルダ１２０に連結するようになっている。
【００２９】
ハウジング１３０は、ロッド１６０の第１の端部１６１がホルダ１２０の軸受部１２１に対して摺動することにより、ロッド１６０の第１の端部１６１を中心に回動するようになっている。したがって、ハウジング１３０がロッド１６０の第１の端部１６１を中心に回動するときには、ロッド１６０の第１の端部１６１の外周面がホルダ１２０の軸受部１２１の内周面に摺接している。
【００３０】
ホルダ１２０は、ホルダ１２０の内縁部１２２がロッド１６０の第１の端部１６１に係合することにより、ロッド１６０の台座１３４側への移動を規制するようになっており、ロッド１６０の第１の端部１６１がホルダ１２０の軸受部１２１から抜け出ることを防止するようになっている。
【００３１】
台座１３４は、図４に示すように、台座１３４の第１の面１３４ａ側に位置するとともにロッド１６０の中心軸１０２周りに等角度に配置された４つの凹部１３５を有しており、ホルダ１２０は、図５に示すように、台座１３４の凹部１３５に嵌合する４つの凸部１２３を有している。
【００３２】
ホルダ１２０は、ハウジング１３０がロッド１６０の中心軸１０２周りに回転したときに、ホルダ１２０の凸部１２３が台座１３４の凹部１３５に係合することにより、ハウジング１３０の回転を規制するようになっている。なお、ホルダ１２０の凸部１２３は、本発明における係合部を構成している。
【００３３】
以上説明したように、本実施の形態においては、ハウジング１３０がロッド１６０の第１の端部１６１を中心に回動するので、ハウジング１３０がロッド１６０の中心軸１０２から放射外方に向かう全ての方向に回動することができ、ハウジング１３０の動作品位を高めることができる。
【００３４】
また、本実施の形態においては、ハウジング１３０がロッド１６０の中心軸１０２から放射外方に向かう全ての方向に回動することができるので、イヤーパッド１３２を聴取者の耳介に平行に当接させることができ、イヤーパッド１３２からの押圧力を聴取者の耳介に均一に加えることができる。したがって、ヘッドセット１００の装着感を向上させることができる。
【００３５】
また、本実施の形態においては、ロッド１６０の第１の端部１６１の外周面がホルダ１２０の軸受部１２１の内周面に摺接しているので、ハウジング１３０が滑らかに回動することができ、ハウジング１３０の動作品位を高めることができる。
【００３６】
また、本実施の形態においては、ホルダ１２０の凸部１２３が台座１３４の凹部１３５に係合することにより、ハウジング１３０の回転を規制することができるので、スピーカ１３１に接続されたコード１５０の断線を防止することができる。
【００３７】
また、本実施の形態においては、ホルダ１２０の内縁部１２２がロッド１６０の第１の端部１６１に係合することにより、ロッド１６０の台座１３４側への移動を規制することができるので、ロッド１６０の第１の端部１６１がホルダ１２０の軸受部１２１から抜け出ることを防止することができ、ハウジング１３０がホルダ１２０から脱落することを防止することができる。
【００３８】
また、本実施の形態においては、ロッド１６０が金属によって形成されているので、ロッド１６０の耐久性および信頼性を向上させることができる。
【００３９】
なお、本実施の形態において、ホルダ１２０の凸部１２３および台座１３４の凹部１３５は、それぞれ４箇所に配置されているが、ホルダ１２０の凸部１２３および台座１３４の凹部１３５の数量および配置は一例であり、ホルダ１２０の凸部１２３が台座１３４の凹部１３５に係合するように構成されていればよい。
【００４０】
また、本実施の形態において、ホルダ１２０の軸受部１２１の内周面およびロッド１６０の第１の端部１６１の外周面は、ハウジング１３０がロッド１６０の第１の端部１６１を中心に回動するときに、ロッド１６０の第１の端部１６１の外周面がホルダ１２０の軸受部１２１の内周面に摺接するように形成されていればよく、全体的に球面状に形成された面、部分的に球面状に形成された面などを含むものである。
【００４１】
【発明の効果】
以上説明したように、本発明によれば、可動部材の動作品位を高めることができ、装着感を向上させることができるヘッドセットを提供することができる。
【図面の簡単な説明】
【図１】本発明の一実施の形態に係るヘッドセットの正面図
【図２】本発明の一実施の形態に係るヘッドセットのホルダ、ハウジングおよびロッドの分解斜視図
【図３】本発明の一実施の形態に係るヘッドセットのホルダ、ハウジングおよびロッドの部分断面図
【図４】本発明の一実施の形態に係るヘッドセットの台座の斜視図
【図５】本発明の一実施の形態に係るヘッドセットのホルダの斜視図
【図６】従来のヘッドセットの正面図
【符号の説明】
１００  ヘッドセット
１１０  ヘッドバンド
１２０  ホルダ（固定部材）
１２１  軸受部
１２２  内縁部
１２３  凸部（係合部）
１３０  ハウジング（可動部材）
１３１  スピーカ（音声出力部）
１３２  イヤーパッド
１３３  内蓋
１３４  台座
１３４ａ  第１の面
１３４ｂ  第２の面
１３５  凹部
１４０  アーム
１４１  マイク
１５０  コード
１６０  ロッド（連結部材）
１６１  第１の端部
１６２  第２の端部
１７０  ネジ
１７１  ブッシュ
【図１】
2004173092.tif 000003
【図２】
2004173092.tif 000004
【図３】
2004173092.tif 000005
【図４】
2004173092.tif 000006
【図５】
2004173092.tif 000007
【図６】
2004173092.tif 000008